Podtech/llm-jp-corpus-v4-ja_patent huggingface dataset:
【手続補正書】
【提出日】平成31年3月4日(2019.3.4)
【手続補正１】
【補正対象書類名】特許請求の範囲
【補正対象項目名】全文
【補正方法】変更
【補正の内容】
【特許請求の範囲】
【請求項１】
真正膵臓前駆細胞が富化された集団を単離するための方法であって、
ｉ）少なくとも１つの真正膵臓前駆細胞を含む細胞集団を提供し、ここでの該真正膵臓前駆細胞はＰＤＸ１及びＮＫＸ６−１を発現する工程と；
ｉｉ）前記細胞集団を、
ａ）ＰＤＸ１−細胞に特異的な第１のマーカーに結合する第１のリガンドに曝露させて、前記細胞集団から前記第１のリガンドに結合しない細胞を選択し、それによりＰＤＸ１＋細胞について前記細胞集団を富化させ；
及び／または
ｂ）ＰＤＸ１＋細胞に特異的な第２のマーカーに結合する第２のリガンドに曝露させて、前記第２のリガンドに結合しない細胞から前記第２のリガンドに結合する細胞を選択し、それによりＰＤＸ１＋細胞について前記細胞集団を富化させ；
及び／または
ｃ）ＰＤＸ１＋ＮＫＸ６−１＋細胞に特異的な第３のマーカーに結合する第３のリガンドに曝露させて、前記第３のリガンドに結合しない細胞から前記第３のリガンドに結合する細胞を選択し、それによりＰＤＸ１＋ＮＫＸ６−１＋細胞について前記細胞集団を富化させる工程を具備し、
前記細胞集団が少なくとも前記第３のリガンド、任意で前記第１及び／又は第２のリガンドに曝露され、
前記第３のマーカーがＧＰ２、ＳＣＮ９Ａ、ＭＰＺ、ＮＡＡＬＡＤＬ２、ＫＣＮＩＰ１及びＣＡＬＢ１からなる群から選択され、好ましくは、前記第３のマーカーがＧＰ２であり、
それによって真正膵臓前駆細胞が富化された細胞集団を得る方法。
【請求項２】
請求項１に記載の方法であって、
ｉ）少なくとも１つの真正膵臓前駆細胞を含む細胞集団を提供し、ここでの該真正膵臓前駆細胞はＰＤＸ１及びＮＫＸ６−１を発現する工程と；
ｉｉ）前記細胞集団を、ＰＤＸ１＋ＮＫＸ６−１＋細胞に特異的な第３のマーカーに結合する第３のリガンドに曝露させて、前記第３のリガンドに結合しない細胞から前記第３のリガンドに結合する細胞を選択し、それによりＰＤＸ１＋ＮＫＸ６−１＋細胞について前記細胞集団を富化させる工程を具備し、
前記第３のマーカーがＧＰ２であり、
それによって真正膵臓前駆細胞が富化された細胞集団を得る方法。
【請求項３】
請求項１又は２に記載の方法であって、前記細胞集団は前記第１のリガンドに曝露され、前記第１のリガンドは、ＣＤ４９ｄに対して向けられる抗体またはその断片である方法。
【請求項４】
請求項１〜３のいずれか一項に記載の方法であって、前記細胞集団は前記第２のリガンドに曝露され、前記第２のリガンドは、ＦＯＬＲ１、ＣＤＨ１／ＥＣＡＤ、Ｆ３／ＣＤ１４２、ＰＤＸ１、ＦＯＸＡ２、ＥＰＣＡＭ、ＨＥＳ１及びＧＡＴＡ４からなる群から選択される標的、好ましくはＦＯＬＲ１に対して向けられる抗体またはその断片である方法。
【請求項５】
請求項１〜４のいずれか一項に記載の方法であって、前記第１のリガンドはＣＤ４９ｄに対して向けられる抗体またはその断片であり、また前記第３のリガンドはＧＰ２に対して向けられる抗体またはその断片である方法。
【請求項６】
請求項１〜５のいずれか一項に記載の方法であって、前記第１のリガンドはＣＤ４９ｄに対して向けられる抗体またはその断片であり、前記第２のリガンドはＦＯＬＲ１に対して向けられる抗体またはその断片であり、また前記第３のリガンドはＧＰ２に対して向けられる抗体またはその断片である方法。
【請求項７】
請求項１〜６のいずれか一項に記載の方法であって、前記真正膵臓前駆細胞は、ヒト万能性幹細胞のような分化できる細胞に由来する方法。
【請求項８】
請求項７に記載の方法であって、前記分化できる細胞は、ヒトｉＰＳ細胞（ｈＩＰＳＣ）、ヒトＥＳ細胞（ｈＥＳＣ）及びナイーブなヒト幹細胞（ＮｈＳＣ）からなる群から選択される方法。
【請求項９】
請求項７又は８に記載の方法であって、前記分化できる細胞は、個体から単離された細胞に由来する方法。
【請求項１０】
真正膵臓前駆細胞が富化された細胞集団を製造する方法であって、前記富化された細胞集団は少なくとも７０％の真正膵臓前駆細胞、例えば少なくとも７５％の真正膵臓前駆細胞、例えば少なくとも８０％の真正膵臓前駆細胞、例えば少なくとも８５％の真正膵臓前駆細胞、例えば少なくとも９０％の真正膵臓前駆細胞を含み、
ｉ）少なくとも１つの真正膵臓前駆細胞を含む細胞集団を提供し、ここでの該真正膵臓前駆細胞はＰＤＸ１及びＮＫＸ６−１を発現する工程と；
ｉｉ）前記細胞集団を、
ａ）ＰＤＸ１−細胞に特異的な第１のマーカーに結合する第１のリガンドに曝露させて、前記細胞集団から前記第１のリガンドに結合しない細胞を選択し、それによりＰＤＸ１＋細胞について前記細胞集団を富化させ；
及び／または
ｂ）ＰＤＸ１＋細胞に特異的な第２のマーカーに結合する第２のリガンドに曝露させて、前記第２のリガンドに結合しない細胞から前記第２のリガンドに結合する細胞を選択し、それによりＰＤＸ１＋細胞について前記細胞集団を富化させ；
及び／または
ｃ）ＰＤＸ１＋ＮＫＸ６−１＋細胞に特異的な第３のマーカーに結合する第３のリガンドに曝露させて、前記第３のリガンドに結合しない細胞から前記第３のリガンドに結合する細胞を選択し、それによりＰＤＸ１＋ＮＫＸ６−１＋細胞について前記細胞集団を富化させる工程を具備し、
前記細胞集団が少なくとも前記第３のリガンド、任意で前記第１及び／又は第２のリガンドに曝露され、
前記第３のマーカーがＧＰ２、ＳＣＮ９Ａ、ＭＰＺ、ＮＡＡＬＡＤＬ２、ＫＣＮＩＰ１及びＣＡＬＢ１からなる群から選択され、好ましくは、前記第３のマーカーがＧＰ２であり、
それによって真正膵臓前駆細胞が富化された細胞集団を得る方法。
【請求項１１】
治療方法において使用するための、請求項１〜１０のいずれか一項の方法により得られる真正膵臓前駆細胞を含む細胞集団。
【請求項１２】
それを必要としている個体における代謝性障害の治療において使用するための、請求項１〜１０のいずれか一項の方法により得られる真正膵臓前駆細胞を含む細胞集団。
【請求項１３】
請求項１２の使用のための細胞集団であって、前記代謝障害が、インスリン依存性真性糖尿病、非インスリン依存性真性糖尿病、栄養失調関連真正糖尿病、１型糖尿病、２型糖尿病または不特定真性糖尿病のような真正糖尿病である前記細胞集団。
【請求項１４】
請求項１１〜１３のいずれか一項に記載の使用のための細胞集団であって、前記細胞集団の少なくとも一部のインスリン産生細胞への分化を誘導する工程、及び該インスリン産生細胞を単離する工程から選択される工程を更に含む方法。
【請求項１５】
請求項１１〜１４のいずれか一項に記載の使用のための細胞集団であって、前記インスリン産生細胞を前記個体に移植する工程を更に含む方法。
【手続補正書】
【提出日】平成31年4月12日(2019.4.12)
【手続補正１】
【補正対象書類名】明細書
【補正対象項目名】０００９
【補正方法】変更
【補正の内容】
【０００９】
【図１】２層構造についての色値Ｌ、ａおよびｂを、それぞれの全層厚の関数として示す図である。「点線」：ＰＶＤによって製造されたコーティング、「平坦線」：ＰＶＤおよびトップコート（ＴＣ）によって製造されたコーティング、「一点鎖線」は、電着されたクロム層（金属）の基準物である。
【手続補正書】
【提出日】平成31年4月12日(2019.4.12)
【手続補正１】
【補正対象書類名】特許請求の範囲
【補正対象項目名】全文
【補正方法】変更
【補正の内容】
【特許請求の範囲】
【請求項１】
野生型CD80免疫グロブリンスーパーファミリー（IgSF）ドメイン中に1つまたは複数のアミノ酸置換を含む、少なくとも1つの親和性が改変された非免疫グロブリンCD80 IgSFドメインを含む、免疫調節タンパク質であって、
該少なくとも1つの親和性が改変されたCD80 IgSFドメインが、該野生型CD80 IgSFドメインと比較して、少なくとも2つの同族結合パートナーに対する向上した結合性を有し；かつ
該少なくとも1つの親和性が改変されたCD80 IgSFドメインが、該少なくとも2つの同族結合パートナーに非競合的に特異的に結合する、
前記免疫調節タンパク質。
【請求項２】
野生型CD80免疫グロブリンスーパーファミリー（IgSF）ドメイン中に1つまたは複数のアミノ酸置換を含む、少なくとも1つの親和性が改変されたCD80 IgSFドメインを含む、免疫調節タンパク質であって、該少なくとも1つの親和性が改変されたCD80 IgSFドメインが、該野生型CD80 IgSFドメインと比較して、少なくとも2つの同族結合パートナーに対する向上した結合性を有する、前記免疫調節タンパク質。
【請求項３】
前記同族結合パートナーがCD28およびPD-L1である、請求項1または2記載の免疫調節タンパク質。
【請求項４】
前記野生型CD80 IgSFドメインが、IgVドメインである、請求項1〜3のいずれか一項記載の免疫調節タンパク質。
【請求項５】
前記親和性が改変されたCD80 IgSFドメインが、親和性が改変されたIgVドメインである、請求項1〜4のいずれか一項記載の免疫調節タンパク質。
【請求項６】
前記親和性が改変されたCD80 IgSFが、SEQ ID NO:1に示されるアミノ酸配列に含まれる野生型CD80 IgSFドメインまたはその特異的結合断片と少なくとも85％の配列同一性を含む、請求項1〜5のいずれか一項記載の免疫調節タンパク質。
【請求項７】
前記少なくとも1つの親和性が改変されたCD80 IgSFドメインが、前記野生型CD80 IgSFドメイン中に1以上20以下のアミノ酸置換を含む、請求項1〜6のいずれか一項記載の免疫調節タンパク質。
【請求項８】
前記少なくとも1つの親和性が改変されたCD80 IgSFドメインが、前記野生型CD80 IgSFドメイン中に1以上10以下のアミノ酸置換を含む、請求項1〜7のいずれか一項記載の免疫調節タンパク質。
【請求項９】
前記少なくとも1つの親和性が改変されたCD80 IgSFドメインが、前記野生型CD80 IgSFドメイン中に1以上5以下のアミノ酸置換を含む、請求項1〜8のいずれか一項記載の免疫調節タンパク質。
【請求項１０】
前記親和性が改変されたCD80 IgSFドメインが、前記少なくとも2つの同族結合パートナーの各々に対するその野生型CD80 IgSFドメインの結合親和性の少なくとも120％を有する、請求項1〜9のいずれか一項記載の免疫調節タンパク質。
【請求項１１】
親和性が改変されていないIgSFドメインをさらに含む、請求項1〜10のいずれか一項記載の免疫調節タンパク質。
【請求項１２】
可溶性である、請求項1〜11のいずれか一項記載の免疫調節タンパク質。
【請求項１３】
グリコシル化またはペグ化されている、請求項1〜12のいずれか一項記載の免疫調節タンパク質。
【請求項１４】
多量体化ドメインに連結されている、請求項1〜13のいずれか一項記載の免疫調節タンパク質。
【請求項１５】
エフェクター機能が低下したFcドメインまたはそのバリアントに連結されている、請求項1〜13のいずれか一項記載の免疫調節タンパク質。
【請求項１６】
前記Fcドメインが、エフェクター機能が低下した、IgG1ドメイン、IgG2ドメイン、またはそれらのバリアントである、請求項15記載の免疫調節タンパク質。
【請求項１７】
前記Fcドメインまたはそのバリアントが、SEQ ID NO:226もしくはSEQ ID NO:227に示されるアミノ酸配列、またはSEQ ID NO:226もしくはSEQ ID NO:227と少なくとも85％の配列同一性を示すアミノ酸配列を含む、請求項15または16記載の免疫調節タンパク質。
【請求項１８】
リンカーを介して間接的に連結されている、請求項14〜17のいずれか一項記載の免疫調節タンパク質。
【請求項１９】
二量体である、請求項14〜18のいずれか一項記載の免疫調節タンパク質。
【請求項２０】
請求項1〜19のいずれか一項記載の免疫調節タンパク質をコードする、核酸分子。
【請求項２１】
請求項20記載の核酸分子を含む、ベクター。
【請求項２２】
発現ベクターである、請求項21記載のベクター。
【請求項２３】
請求項20記載の核酸を含む、細胞。
【請求項２４】
免疫調節タンパク質を生産する方法であって、請求項20記載の核酸分子または請求項21もしくは22記載のベクターを、細胞において該タンパク質を発現する条件下で宿主細胞に導入する工程を含む、前記方法。
【請求項２５】
前記細胞から前記免疫調節タンパク質を単離または精製する工程をさらに含む、請求項24記載の方法。
【請求項２６】
請求項1〜19のいずれか一項記載の免疫調節タンパク質を含む、薬学的組成物。
【請求項２７】
薬学的に許容し得る賦形剤を含む、請求項26記載の薬学的組成物。
【請求項２８】
滅菌されている、請求項26または27記載の薬学的組成物。
【請求項２９】
バイアル中に請求項26〜28のいずれか一項記載の薬学的組成物を含む、製造品。
【請求項３０】
前記バイアルが密閉されている、請求項29記載の製造品。
【請求項３１】
請求項26〜28のいずれか一項記載の薬学的組成物または請求項29もしくは30記載の製造品、および使用説明書を含む、キット。
【請求項３２】
対象における免疫応答の調節に使用するための、請求項1〜19のいずれか一項記載の免疫調節タンパク質を含む薬学的組成物。
【請求項３３】
対象における免疫応答の調節のための医薬の製造における、請求項1〜19のいずれか一項記載の免疫調節タンパク質の使用。
【請求項３４】
前記免疫応答の調節により前記対象における疾患または状態が治療される、請求項32記載の薬学的組成物または請求項33記載の使用。
【請求項３５】
前記免疫応答を向上させる、請求項32〜34のいずれか一項記載の薬学的組成物または使用。
【請求項３６】
前記疾患または状態が、腫瘍またはがんである、請求項35記載の薬学的組成物または使用。
【請求項３７】
前記疾患または状態が、黒色腫、肺がん、膀胱がん、または血液悪性腫瘍から選択される、請求項35または36記載の薬学的組成物または使用。
【手続補正書】
【提出日】平成31年2月1日(2019.2.1)
【手続補正１】
【補正対象書類名】特許請求の範囲
【補正対象項目名】全文
【補正方法】変更
【補正の内容】
【特許請求の範囲】
【請求項１】
ゲノムデータ及び臨床データの組み合わせた表示を生成するためのコンピュータ実装される方法であって、前記方法は、
少なくとも１人の患者から分離された少なくとも１つのゲノムを記述するゲノムデータを受信し、
電子患者データを受信し、
前記ゲノムデータを用いて選択された前記電子患者データの少なくともサブセットのグラフィカルな表示を提供する
するよう構成され、前記グラフィカルな表示は、前記ゲノムデータと関連する生物により感染させられた患者のリストであり、前記リストに挙げられた少なくとも１人の患者が前記リストに挙げられた他の患者と少なくとも１つの感染様式共通性を共有し、斯かる患者は前記患者のリストにおいて強調される、コンピュータプロセッサを備えるステップを有する方法。
【請求項２】
前記グラフィカルな表示は、選択されたときに、感染防止に関連する動作を実装する、ユーザインタフェース要素を有する、請求項１に記載のコンピュータ実装される方法。
【請求項３】
前記グラフィカルな表示は、共通性のプロットである、請求項１に記載のコンピュータ実装される方法。
【請求項４】
前記共通性は、感染様式の共通性である、請求項３に記載のコンピュータ実装される方法。
【請求項５】
前記グラフィカルな表示は、前記ゲノムデータと関連する生物により感染させられた患者のツリー表示であり、前記ツリーにおける各ノードが、感染した患者を表し、前記ツリーにおける各リンクが、類似するゲノムを持つ生物の株により感染した患者についての２つのノードを接続する、請求項１に記載のコンピュータ実装される方法。
【請求項６】
前記グラフィカルな表示は、マトリクス表示であり、各行が、病棟の病室であり、各列が、病室に関連する病床であり、各患者が、該患者が占有する少なくとも１つの病床に関連付けられて表示され、各患者の表示が、当該患者から分離されたゲノムデータにより区別される、請求項１に記載のコンピュータ実装される方法。
【請求項７】
前記グラフィカルな表示は、類似する分離されたゲノムデータを持つ患者を並べて表示する、請求項１に記載のコンピュータ実装される方法。
【請求項８】
前記グラフィカルな表示は、前記ゲノムデータに関連する複数の目標生物、及び複数の抗菌剤についての耐性記録である、請求項１に記載のコンピュータ実装される方法。
【請求項９】
前記グラフィカルな表示は、前記ゲノムデータに関連する生物に感染した患者についての電子患者データのタイムライン表示である、請求項１に記載のコンピュータ実装される方法。
【請求項１０】
ゲノムデータ及び臨床データの組み合わせた表示を生成するための方法を実行するためのコンピュータ実行可能な命令を含む持続性のコンピュータ読み取り可能な媒体であって、前記媒体は、
少なくとも１人の患者から分離された少なくとも１つのゲノムを記述するゲノムデータを受信するためのコンピュータ実行可能な命令と、
電子患者データを受信するためのコンピュータ実行可能な命令と、
前記ゲノムデータを用いて選択された前記電子患者データの少なくともサブセットのグラフィカルな表示を提供するためのコンピュータ実行可能な命令と、
を有し、前記グラフィカルな表示は、前記ゲノムデータと関連する生物により感染させられた患者のリストであり、前記リストに挙げられた少なくとも１人の患者が前記リストに挙げられた他の患者と少なくとも１つの感染様式共通性を共有し、斯かる患者は前記患者のリストにおいて強調される、媒体。
【請求項１１】
前記グラフィカルな表示は、選択されたときに、感染防止に関連する動作を実装する、ユーザインタフェース要素を有する、請求項１０に記載の持続性のコンピュータ読み取り可能な媒体。
【請求項１２】
前記グラフィカルな表示は、共通性のプロットである、請求項１０に記載の持続性のコンピュータ読み取り可能な媒体。
【請求項１３】
前記共通性は、感染様式の共通性である、請求項１２に記載の持続性のコンピュータ読み取り可能な媒体。
【請求項１４】
前記グラフィカルな表示は、前記ゲノムデータと関連する生物により感染させられた患者のツリー表示であり、前記ツリーにおける各ノードが、感染した患者を表し、前記ツリーにおける各リンクが、類似するゲノムを持つ生物の株により感染した患者についての２つのノードを接続する、請求項１０に記載の持続性のコンピュータ読み取り可能な媒体。
【請求項１５】
前記グラフィカルな表示は、マトリクス表示であり、各行が、病棟の病室であり、各列が、病室に関連する病床であり、各患者が、該患者が占有する少なくとも１つの病床に関連付けられて表示され、各患者の表示が、当該患者から分離されたゲノムデータにより区別される、請求項１０に記載の持続性のコンピュータ読み取り可能な媒体。
【請求項１６】
前記グラフィカルな表示は、類似する分離されたゲノムデータを持つ患者を並べて表示する、請求項１０に記載の持続性のコンピュータ読み取り可能な媒体。
【請求項１７】
前記グラフィカルな表示は、前記ゲノムデータに関連する複数の目標生物、及び複数の抗菌剤についての耐性記録である、請求項１０に記載の持続性のコンピュータ読み取り可能な媒体。
【請求項１８】
前記グラフィカルな表示は、前記ゲノムデータに関連する生物に感染した患者についての電子患者データのタイムライン表示である、請求項１０に記載の持続性のコンピュータ読み取り可能な媒体。
【手続補正書】
【提出日】平成30年11月26日(2018.11.26)
【手続補正１】
【補正対象書類名】特許請求の範囲
【補正対象項目名】全文
【補正方法】変更
【補正の内容】
【特許請求の範囲】
【請求項１】
ウェアラブルディスプレイデバイスであって、
ディスプレイおよび前記ディスプレイと電気通信しているドライバ回路と、前記ドライバ回路は、第１の画像品質で前記ディスプレイの第１の領域を駆動し、前記第１の品質とは異なる第２の画像品質で前記ディスプレイの第２の領域を駆動するように構成される、    画像データが表示されることになる前記ディスプレイの領域を選択することと、
前記ドライバ回路に、前記ディスプレイの前記選択された領域に画像データを表示するように指示することと
を行うことが可能なプロセッサと、
を備える、ウェアラブルディスプレイデバイス。
【請求項２】
画像データが表示されることになる前記ディスプレイの前記領域の前記選択は、
前記画像データに関連付けられたコンテンツタイプ、
前記画像データに関連付けられた画像フォーマット、または
前記画像データの優先度、
に少なくとも部分的に基づいている、請求項１に記載のウェアラブルディスプレイデバイス。
【請求項３】
前記画像データの優先度は、１つまたは複数のユーザプロファイルに関連付けられた１つまたは複数のユーザプリファレンスに少なくとも部分的に基づいている、請求項１に記載のウェアラブルディスプレイデバイス。
【請求項４】
前記プロセッサは、前記ウェアラブルデバイスの現在のユーザを示すバイオメトリック情報に基づいて前記１つまたは複数のユーザプロファイルを選択することがさらに可能である、請求項３に記載のウェアラブルディスプレイデバイス。
【請求項５】
前記プロセッサは、前記ディスプレイの領域のための画像品質を割り当てることも可能である、請求項１に記載のウェアラブルディスプレイデバイス。
【請求項６】
前記ディスプレイは、フレキシブルであり、および湾曲した状態で動作することが可能である、請求項１に記載のウェアラブルディスプレイデバイス。
【請求項７】
前記第１の画像品質は第１の色域であり、前記第２の画像品質は、前記第１の色域よりも広い第２の色域である、請求項１に記載のウェアラブルディスプレイデバイス。
【請求項８】
前記ディスプレイの前記第１の領域は、第１の画素密度を有する第１の隣接領域であり、前記ディスプレイの前記第２の領域は、前記第１の画素密度とは異なる第２の画素密度を有する第２の隣接領域である、請求項１に記載のウェアラブルディスプレイデバイス。
【請求項９】
ウェアラブルディスプレイデバイスを動作させる方法であって、前記ウェアラブルディスプレイデバイスは、少なくとも２つの異なる画像品質を表示するように構成された少なくとも２つのサブ領域を有する表示エリアを有し、前記方法は、
画像コンテンツを表示するためのコマンドを受信することと、
前記コンテンツを表示するための前記表示エリアの適切なサブ領域を選択することと、  前記表示エリアの前記選択されたサブ領域に前記コンテンツを表示することと
を備える、方法。
【請求項１０】
前記コンテンツを表示するための前記表示エリアの適切なサブ領域を選択することは、  画像データの１つまたは複数のセットに対して高速フーリエ変換（ＦＦＴ）を実行することと、
前記画像データに対する前記ＦＦＴの結果に少なくとも部分的に基づいて適切なサブ領域を選択することと
を含む、請求項９に記載の方法。
【請求項１１】
前記適切なサブ領域を選択することは、
前記ウェアラブルディスプレイデバイスの残りのバッテリ寿命、
所望の画像表示品質、
表示される色の範囲、
表示されるフレームレート、
前記コンテンツが表示される周波数、
アプリケーションの使用履歴、または
前記コンテンツが表示されるエリアのサイズおよび形状、
に少なくとも部分的に基づいている、請求項９に記載の方法。
【請求項１２】
前記適切なサブ領域は、画像品質に少なくとも部分的に基づいて選択され、前記所望の画像表示品質は、所望の画像解像度である、請求項１１に記載の方法。
【請求項１３】
前記ウェアラブルディスプレイデバイスの前記選択されたサブ領域に前記コンテンツを表示することは、前記少なくとも２つのサブ領域のうちの１つから、前記少なくとも２つのサブ領域のうちの別の１つにコンテンツの前記表示を移動させることを含む、請求項９に記載の方法。
【請求項１４】
前記表示エリアは、湾曲した状態で動作することが可能である、請求項９に記載の方法。
【手続補正書】
【提出日】平成31年2月5日(2019.2.5)
【手続補正１】
【補正対象書類名】特許請求の範囲
【補正対象項目名】全文
【補正方法】変更
【補正の内容】
【特許請求の範囲】
【請求項１】
プロセッサによって実行可能な命令のセットを保存する持続的なコンピュータ読み取り可能な媒体であって、前記命令のセットは、プロセッサにより実行されるときに、
患者の医療画像を含む画像検査結果を受信するステップと、
前記画像検査結果から画像コンテキストを抽出するステップと、
前記画像コンテキストに基づいて検索クエリを生成するステップと、
前記検索クエリをデータ源に送信するステップと、
データ源から前記クエリの結果を受信するステップと、
前記結果をユーザに提供するステップと、
を有する動作を前記プロセッサに実行させ、前記画像コンテキストは、自然言語処理を用いて前記画像検査結果から抽出される、媒体。
【請求項２】
前記動作は更に、前記患者についての患者コンテキストを受信するステップを有し、前記検索クエリは、前記患者コンテキストに更に基づく、請求項１に記載の持続的なコンピュータ読み取り可能な媒体。
【請求項３】
前記動作は更に、前記画像コンテキストに対する類似度に基づいて前記結果をフィルタリングするステップを有する、請求項１に記載の持続的なコンピュータ読み取り可能な媒体。
【請求項４】
前記動作は更に、前記画像コンテキストに対する類似度に基づいて前記結果を並べ替えるステップを有する、請求項１に記載の持続的なコンピュータ読み取り可能な媒体。
【請求項５】
前記動作は更に、前記結果における関連するテキストを強調表示するステップを有する、請求項１に記載の持続的なコンピュータ読み取り可能な媒体。
【請求項６】
前記医療画像は、Ｘ線画像、ＣＴ画像及び磁気共鳴画像のうち１つを含む、請求項１に記載の持続的なコンピュータ読み取り可能な媒体。
【請求項７】
前記検索クエリを生成するステップは、前記ユーザの専門度のレベルに更に基づく、請求項１に記載の持続的なコンピュータ読み取り可能な媒体。
【請求項８】
前記画像検査結果は、ＤＩＣＯＭ規格に従って形式化される、請求項１に記載の持続的なコンピュータ読み取り可能な媒体。
【請求項９】
前記画像コンテキストは、ＤＩＣＯＭヘッダから抽出される、請求項８に記載の持続的なコンピュータ読み取り可能な媒体。
【請求項１０】
命令のセットを保存するメモリと、
前記命令のセットを実行して、
患者の医療画像を含む画像検査結果を受信するステップ、
前記画像検査結果から画像コンテキストを抽出するステップ、
前記画像コンテキストに基づいて検索クエリを生成するステップ、
前記検索クエリをデータ源に送信するステップ、
データ源から前記クエリの結果を受信するステップ、及び
前記結果をユーザに提供するステップ
を有する動作を実行する、プロセッサと、
を有し、前記画像コンテキストは、自然言語処理を用いて前記画像検査結果から抽出される、システム。
【請求項１１】
前記動作は更に、前記患者についての患者コンテキストを受信するステップを有し、前記検索クエリは、前記患者コンテキストに更に基づく、
請求項１０に記載のシステム。
【請求項１２】
前記動作は更に、前記画像コンテキストに対する類似度に基づいて前記結果をフィルタリングするステップを有する、請求項１０に記載のシステム。
【請求項１３】
前記動作は更に、前記画像コンテキストに対する類似度に基づいて前記結果を並べ替えるステップを有する、請求項１０に記載のシステム。
【請求項１４】
前記動作は更に、前記結果における関連するテキストを強調表示するステップを有する、請求項１０に記載のシステム。
【請求項１５】
前記検索クエリを生成するステップは、前記ユーザの専門度のレベルに更に基づく、請求項１０に記載のシステム。
【手続補正書】
【提出日】平成30年12月26日(2018.12.26)
【手続補正１】
【補正対象書類名】特許請求の範囲
【補正対象項目名】全文
【補正方法】変更
【補正の内容】
【特許請求の範囲】
【請求項１】
色転写技法のために複数の縮尺において色測定特徴を使用するための方法であって、
グラウンドトゥルースの画像ターゲットフレームを複数の異なる縮尺へとサイズ変更するステップと、
前記複数の異なる縮尺の各々における前記グラウンドトゥルースの画像ターゲットフレームから1つまたは複数の色測定特徴を選択するステップと、
前記グラウンドトゥルースの画像ターゲットフレームの中の各色測定特徴に対する色測定を行うステップと、
前記色測定に少なくとも部分的に基づいて、拡張現実アプリケーションによって拡張フレームの中の仮想オブジェクトの色を調整するステップと
を備える、方法。
【請求項２】
前記色測定に少なくとも部分的に基づいて前記仮想オブジェクトの前記色を前記調整するステップが、
入ってくる画像ターゲットフレームから1つまたは複数の色測定特徴を選択するステップと、
前記入ってくる画像ターゲットフレームの中の各色測定特徴に対する色測定を行うステップと、
前記グラウンドトゥルースの画像ターゲットフレームの中の色測定特徴の前記色測定と、前記入ってくる画像ターゲットフレームの中の色測定特徴の前記色測定とに基づいて、1つまたは複数の色差分測定を行うステップと、
前記色差分測定に少なくとも部分的に基づいて、前記仮想オブジェクトの1つまたは複数の色を調整するステップと
をさらに備える、請求項1に記載の方法。
【請求項３】
前記色測定特徴が、前記入ってくる画像フレームのための姿勢推定特徴から選択される、請求項2に記載の方法。
【請求項４】
前記色測定特徴が、前記入ってくる画像フレームのための姿勢推定特徴とは無関係に定義される、請求項2に記載の方法。
【請求項５】
複数の異なる縮尺における色測定特徴が、前記色差分測定を行うステップにおいて使用される、請求項2に記載の方法。
【請求項６】
前記入ってくる画像ターゲットフレームの縮尺と最も密接に一致する前記縮尺における色測定特徴だけが、前記色差分測定を行うステップにおいて使用される、請求項2に記載の方法。
【請求項７】
照明に依存しない相関付け方法が、前記色差分測定を行うステップにおいて使用される、請求項2に記載の方法。
【請求項８】
色転写技法のために複数の縮尺において色測定特徴を使用するための装置であって、
グラウンドトゥルースの画像ターゲットフレームを複数の異なる縮尺へとサイズ変更するための手段と、
前記複数の異なる縮尺の各々における前記グラウンドトゥルースの画像ターゲットフレームから1つまたは複数の色測定特徴を選択するための手段と、
前記グラウンドトゥルースの画像ターゲットフレームの中の各色測定特徴に対する色測定を行うための手段と、
前記色測定に少なくとも部分的に基づいて、拡張フレームの中の仮想オブジェクトの色を拡張現実アプリケーションにおいて調整するための手段と
を備える、装置。
【請求項９】
前記色測定に少なくとも部分的に基づいて仮想オブジェクトの色を前記調整するための手段が、
入ってくる画像ターゲットフレームから1つまたは複数の色測定特徴を選択するための手段と、
前記入ってくる画像ターゲットフレームの中の各色測定特徴に対する色測定を行うための手段と、
前記グラウンドトゥルースの画像ターゲットフレームの中の色測定特徴の前記色測定と、前記入ってくる画像ターゲットフレームの中の色測定特徴の前記色測定とに基づいて、1つまたは複数の色差分測定を行うための手段と、
前記色差分測定に少なくとも部分的に基づいて、前記仮想オブジェクトの色を調整するための手段と
をさらに備える、請求項8に記載の装置。
【請求項１０】
前記色測定特徴が、前記入ってくる画像ターゲットフレームのための姿勢推定特徴から選択される、請求項9に記載の装置。
【請求項１１】
前記色測定特徴が、前記入ってくる画像ターゲットフレームのための姿勢推定特徴とは別個に無関係に定義される、請求項9に記載の装置。
【請求項１２】
複数の異なる縮尺における色測定特徴が、前記色差分測定を行うことにおいて使用される、請求項9に記載の装置。
【請求項１３】
前記入ってくる画像ターゲットフレームの縮尺と最も密接に一致する前記縮尺における色測定特徴だけが、前記色差分測定を行うことにおいて使用される、請求項9に記載の装置。
【請求項１４】
照明に依存しない相関付け方法が、前記色差分測定を行うことにおいて使用される、請求項9に記載の装置。
【請求項１５】
プロセッサによって実行されると、前記プロセッサに、請求項1〜7のいずれか一項に記載の方法を実行させるコードを含む、非一時的コンピュータ可読記憶媒体。
【誤訳訂正書】
【提出日】令和1年5月14日(2019.5.14)
【誤訳訂正１】
【訂正対象書類名】明細書
【訂正対象項目名】００８８
【訂正方法】変更
【訂正の内容】
【００８８】
以下の表は、ミラーＭ１からＭ８に関するパラメータ「最大入射角」、「反射面のｘ方向広がり」、「反射面のｙ方向広がり」、及び「最大ミラー直径」を要約している。
（表）
2018512625.tif 000001
【誤訳訂正２】
【訂正対象書類名】明細書
【訂正対象項目名】０１２６
【訂正方法】変更
【訂正の内容】
【０１２６】
以下の表は、投影光学ユニット２１のミラーＭ１からＭ８のミラーパラメータをここでもまた示すものである。
（表）
2018512625.tif 000002
【誤訳訂正３】
【訂正対象書類名】明細書
【訂正対象項目名】０１４３
【訂正方法】変更
【訂正の内容】
【０１４３】
以下の表は、投影光学ユニット２２のミラーＭ１からＭ６のミラーパラメータをここでもまた示している。
（表）
2018512625.tif 000003
【誤訳訂正４】
【訂正対象書類名】明細書
【訂正対象項目名】０１６１
【訂正方法】変更
【訂正の内容】
【０１６１】
以下の表は、投影光学ユニット２３のミラーＭ１からＭ８のミラーパラメータをここでもまた示している。
（表）
2018512625.tif 000004
【誤訳訂正５】
【訂正対象書類名】明細書
【訂正対象項目名】０１８１
【訂正方法】変更
【訂正の内容】
【０１８１】
以下の表は、投影光学ユニット２６のミラーＭ１からＭ７のミラーパラメータをここでもまた示している。
（表）
2018512625.tif 000005
【誤訳訂正６】
【訂正対象書類名】明細書
【訂正対象項目名】０２０４
【訂正方法】変更
【訂正の内容】
【０２０４】
以下の表は、投影光学ユニット２７のミラーＭ１からＭ９のミラーパラメータをここでもまた示している。
（表）
2018512625.tif 000006
【誤訳訂正７】
【訂正対象書類名】明細書
【訂正対象項目名】０２２４
【訂正方法】変更
【訂正の内容】
【０２２４】
以下の表は、投影光学ユニット２９のミラーＭ１からＭ９のミラーパラメータをここでもまた示している。
（表）
2018512625.tif 000007
【誤訳訂正８】
【訂正対象書類名】明細書
【訂正対象項目名】０２４４
【訂正方法】変更
【訂正の内容】
【０２４４】
以下の表は、投影光学ユニット３０のミラーＭ１からＭ１０のミラーパラメータをここでもまた示している。
（表）
2018512625.tif 000008
（表）
2018512625.tif 000009
【誤訳訂正９】
【訂正対象書類名】明細書
【訂正対象項目名】０２６６
【訂正方法】変更
【訂正の内容】
【０２６６】
以下の表は、投影光学ユニット３１のミラーＭ１からＭ１０のミラーパラメータをここでもまた示している。
（表）
2018512625.tif 000010
（表）
2018512625.tif 000011
【誤訳訂正１０】
【訂正対象書類名】明細書
【訂正対象項目名】０２８９
【訂正方法】変更
【訂正の内容】
【０２８９】
以下の表は、投影光学ユニット３２のミラーＭ１からＭ７のミラーパラメータをここでもまた示している。
（表）
2018512625.tif 000012
【誤訳訂正１１】
【訂正対象書類名】明細書
【訂正対象項目名】０３２１
【訂正方法】変更
【訂正の内容】
【０３２１】
以下の表は、投影光学ユニット３３のミラーＭ１からＭ６に関するパラメータ「最大入射角」、「反射面のｘ方向広がり」、「反射面のｙ方向広がり」、及び「最大ミラー直径」を要約している。
（表）
2018512625.tif 000013
【誤訳訂正１２】
【訂正対象書類名】明細書
【訂正対象項目名】０３４４
【訂正方法】変更
【訂正の内容】
【０３４４】
以下の表は、投影光学ユニット３４のミラーＭ１からＭ６のミラーパラメータをここでもまた示している。
（表）
2018512625.tif 000014
【手続補正書】
【提出日】平成31年2月19日(2019.2.19)
【手続補正１】
【補正対象書類名】特許請求の範囲
【補正対象項目名】全文
【補正方法】変更
【補正の内容】
【特許請求の範囲】
【請求項１】
蛍光を有する生体標本を撮像するための装置であって、
該装置は、
撮像容積内に生体標本の少なくとも１部を保持するための、透明部を有する撮像用のステージと、
前記撮像容積を貫通するように配置された第１の回転軸を有する第１の回転軸受と、
前記ステージと前記第１の回転軸受の間に延びる脚部であって、前記第１の回転軸受から前記ステージをオフセットさせる脚部と、
前記撮像容積を貫通するように配置された第２の回転軸を有する第２の回転軸受であって、該第２の回転軸は前記第１の回転軸に直交する、第２の回転軸受と、
前記第１の回転軸受と前記第２の回転軸受の間に延びるアーマチュアと、
前記撮像容積を照らすように構成された可視光源と、
前記撮像容積を照らすように構成された蛍光励起光源と、
前記撮像容積内に焦点深度を有するように構成されたカメラと
を備えた装置。
【請求項２】
請求項１に記載の装置であって、
該装置は、さらに、
コンピュータプロセッサであって、該コンピュータプロセッサにオペレーションを実行させるための指令を示す情報を具体化した機械読み取り可能な非一時的媒体に動作可能に接続されたコンピュータプロセッサを備え、
前記オペレーションは、
前記可視光源を照射している間に、前記カメラを用いて前記ステージ上の生体標本の反射光画像を撮影すること、
前記反射光画像を撮影する間に、前記第１の回転軸および前記第２の回転軸の角度の周りに前記ステージを回転させ、前記反射光画像の少なくとも１つの画像は、前記ステージの前記透明部を通して撮影された標本のものであること、
前記蛍光励起光源を照射している間に、前記カメラを用いて前記生体標本の蛍光画像を撮影すること、
前記蛍光画像の間に、前記第１の回転軸および前記第２の回転軸の角度の周りに前記ステージを回転させ、前記蛍光画像の少なくとも１つの画像は、前記ステージの前記透明部を通して収集された標本のものであること、および、
前記反射光画像および前記蛍光画像から生成された１つのレンダリング画像をレンダリングすることを備えたオペレーションである、
装置。
【請求項３】
請求項２に記載の装置であって、
前記オペレーションは、さらに、
前記反射光画像を用いて前記標本の反射光３次元（３Ｄ）モデルを構築すること、および
前記蛍光画像を用いて前記３Ｄモデルに蛍光情報を追加することを備え、
前記レンダリング画像は前記３Ｄモデルからレンダリングされる、
装置。
【請求項４】
請求項３に記載の装置であって、
前記の反射光画像から前記３Ｄモデルを構築することは、シルエットモデリングを含む、装置。
【請求項５】
請求項３に記載の装置であって、
該装置は、さらに、
前記透明部に隣接したフレーム部分を備え、
前記の反射光画像から前記３Ｄモデルを構築することは、画像レジストレーションのために前記フレーム部分を用いることを含む、装置。
【請求項６】
請求項２に記載の装置であって、さらに、
前記レンダリング画像をレンダリングするために、それぞれの角度で撮像した反射光画像に、同じ角度で収集した蛍光画像を重ね合わせることを備えた、装置。
【請求項７】
請求項６に記載の装置であって、
前記オペレーションは、さらに、コントラストが比較的均一になるように、前記蛍光画像のコントラストで前記反射光画像のコントラストを統一することを備えた、装置。
【請求項８】
請求項２に記載の装置であって、それぞれの角度毎に反射光画像が撮影され、別の角度への前記ステージの回転前に蛍光画像が収集される、装置。
【請求項９】
請求項１に記載の装置であって、前記脚部は、前記透明部の平面から前記第１の回転軸受に垂直に延びる、装置。
【請求項１０】
請求項９に記載の装置であって、前記脚部は、前記ステージの下から下向きに前記第１の回転軸受に向かって延びる、装置。
【請求項１１】
請求項１に記載の装置であって、前記脚部は、前記透明部の平面と平行に前記第１の回転軸受に延びる、装置。
【請求項１２】
請求項１に記載の装置であって、撮像用の前記ステージ全体が透明である、装置。
【請求項１３】
請求項１に記載の装置であって、さらに、前記第２の回転軸受を支持し、少なくとも１つの方向に水平方向に前記ステージを移動させるように構成された、少なくとも１つの並進軸受を備えた、装置。
【請求項１４】
請求項１３に記載の装置であって、前記並進軸受は、前記ステージを前記撮像容積内へおよび前記撮像容積から移動させるように構成された、装置。
【請求項１５】
請求項１に記載の装置であって、さらに、生体標本を前記ステージへ、または前記ステージから移動させるためのコンベアシステムを備えた、装置。
【請求項１６】
蛍光を有する生体標本を撮像するための装置であって、
該装置は、
撮像容積内に生体標本の少なくとも１部を保持するための透明部を有する撮像用のステージと、
前記撮像容積を貫通するように配置された第１の回転軸を有する回転軸受と、
前記ステージと前記回転軸受の間に延びる脚部であって、前記ステージを前記回転軸受からオフセットさせる脚部と、
複数の伸長可能なアームであって、各アームが圧縮位置と拡張位置を有し、枢軸によって前記回転軸受に結合されたアームとを備え、
少なくとも１つの伸長可能なアームの少なくとも１つの別の伸長可能なアームからの差動伸長は、前記第１の回転軸に直交する第２の回転軸に対して、前記ステージを傾斜させるように構成されており、
前記装置は、さらに、
前記撮像容積を照らすように構成された可視光源と、
前記撮像容積を照らすように構成された蛍光励起光源と、
前記撮像容積内に焦点深度を有するように構成されたカメラと、
を備えた装置。
【請求項１７】
請求項１６に記載の装置であって、
該装置は、さらに、
コンピュータプロセッサであって、該コンピュータプロセッサにオペレーションを実行させるための指令を示す情報を具体化した機械読み取り可能な非一時的媒体に動作可能に接続されたコンピュータプロセッサを備え、
前記オペレーションは、
前記可視光源を照射している間に、前記カメラを用いて前記ステージ上の生体標本の反射光画像を撮影すること、
前記反射光画像を撮影する間に、前記第１の回転軸および前記第２の回転軸の角度の周りに前記ステージを回転させ、前記反射光画像の少なくとも１つの画像は、前記ステージの前記透明部を通して撮影された標本のものであること、
前記蛍光励起光源を照射している間に、前記カメラを用いて前記ステージ上の生体標本の蛍光画像を撮影すること、
前記蛍光画像の間に、前記第１の回転軸および前記第２の回転軸の角度の周りに前記ステージを回転させ、前記蛍光画像の少なくとも１つの画像は、前記ステージの前記透明部を通して収集された標本のものであること、および、
前記反射光画像および前記蛍光画像から生成された１つのレンダリング画像をレンダリングすることを備えたオペレーションである、
装置。
【手続補正書】
【提出日】平成30年12月6日(2018.12.6)
【手続補正１】
【補正対象書類名】特許請求の範囲
【補正対象項目名】全文
【補正方法】変更
【補正の内容】
【特許請求の範囲】
【請求項１】
堅牢な分類のための装置であって、
データを受信する受信機であって、前記受信されるデータが、特徴セットからの少なくとも１つの特徴を持つ、受信機と、
前記特徴セットからの少なくとも１つの欠損特徴にかかわらず、堅牢な分類を実行するためのコンピュータ可読命令を格納するよう構成されるメモリと、
前記メモリ及び前記受信機と通信するプロセッサとを有し、
前記堅牢な分類を実行するための前記コンピュータ可読命令の実行が、前記プロセッサに、
前記受信機と通信する少なくとも１つの訓練された低次元分類器であって、前記少なくとも１つの低次元分類器の各々が、前記特徴セットからの個別の入力特徴に関連付けられ、かつ前記受信されるデータにおける前記入力特徴の存在に基づかれる出力を提供する、少なくとも１つの低次元分類器と、
前記受信機及び前記少なくとも１つの訓練された低次元分類器の各々と通信する重み付け加算器であって、前記少なくとも１つの訓練された低次元分類器のそれぞれに重みを割り当て、前記少なくとも１つの低次元分類器の前記出力及び前記割り当てられた重みの加重和を提供する、重み付き加算器とを実現させる、装置。
【請求項２】
前記受信されるデータが、少なくとも１つの訓練例を有する、請求項１に記載の装置。
【請求項３】
前記少なくとも１つの低次元分類器の各々が、前記受信される少なくとも１つの訓練例を用いて訓練される、請求項２に記載の装置。
【請求項４】
前記重み付き加算器が、前記受信される少なくとも１つの訓練例に基づき、前記少なくとも１つの低次元分類器のそれぞれに割り当てられる前記重みを調整する、請求項３に記載の装置。
【請求項５】
前記重み付き加算器の出力が、血行力学的不安定性スコアである、請求項１に記載の装置。
【請求項６】
前記重み付き加算器が、前記受信されるデータにおいて関連付けられる特徴が存在しない分類器にゼロの重みを割り当て、前記受信されるデータにおいて関連付けられる特徴が存在する分類器に非ゼロの重みを割り当てる、請求項１に記載の装置。
【請求項７】
前記訓練された低次元分類器の少なくとも１つが、関連付けられる特徴が前記受信データにないとき、ゼロ値を出力するよう構成される、請求項１に記載の装置。
【請求項８】
前記重み付け加算器が、前記低次元分類器の少なくとも１つによるゼロ値の出力に基づき、非ゼロ値を出力する前記訓練された低次元分類器の少なくとも１つの出力に割り当てられる前記重みを調節する、請求項７に記載の装置。
【請求項９】
特徴セットからの少なくとも１つの欠損特徴にかかわらず、堅牢な分類を実行するためのメモリに格納された命令を実行するプロセッサにより実行される方法において、
特徴セットから少なくとも１つの特徴を持つデータを受信機を介して受信するステップと、
少なくとも１つの訓練された低次元分類器を前記受信されるデータに適用するステップであって、前記少なくとも１つの訓練された低次元分類器の各々が、前記特徴セットの個別の入力特徴に関連付けられ、前記少なくとも１つの低次元分類器の前記適用は、前記受信されるデータにおける前記入力特徴の存在に基づかれる出力をもたらす、ステップと、
前記少なくとも１つの訓練された低次元分類器のそれぞれに関する重みを重み付き加算器を使用して割り当て、前記少なくとも１つの訓練された低次元分類器の出力及び前記割り当てられた重みに基づき、前記重み付き加算器を使用して加重和を出力するステップとを有する、方法。
【請求項１０】
前記データを受信するステップが、少なくとも１つの訓練例を受信するステップを有する、請求項９に記載の方法。
【請求項１１】
前記少なくとも１つの訓練された低次元分類器の各々が、前記受信される少なくとも１つの訓練例を用いて訓練される、請求項１０に記載の方法。
【請求項１２】
前記少なくとも１つの低次元分類器のそれぞれに割り当てられる重みが、前記受信される少なくとも１つの訓練例に基づき調整される、請求項１１に記載の方法。
【請求項１３】
前記出力される加重和が、血行力学的不安定性スコアである、請求項１１に記載の方法。
【請求項１４】
前記分類器出力の加重和を出力するステップが、前記受信されるデータにおいて関連付けられる特徴がない分類器にゼロの重みを割り当て、前記受信されるデータにおいて関連付けられる特徴が存在する分類器に非ゼロの重みを割り当てるステップを有する、請求項９に記載の方法。
【請求項１５】
前記訓練された低次元分類器の少なくとも１つが、関連付けられる特徴が前記受信データにないとき、ゼロ値を出力するよう構成される、請求項９に記載の方法。
【請求項１６】
前記少なくとも１つの訓練された低次元分類器によるゼロ値の出力に基づき、非ゼロ値を出力する前記少なくとも１つの訓練された低次元分類器の出力に割り当てられる前記重みが調整される、請求項１５に記載の方法。
【請求項１７】
少なくとも１つの欠損特徴にかかわらず特徴セットにおける堅牢な分類のための方法を実行するプロセッサによる実行のためのコンピュータ実行可能命令を含む非一時的なコンピュータ可読媒体であって、
特徴セットから少なくとも１つの特徴を持つデータを受信機を介して受信するコンピュータ実行可能命令と、
前記受信されるデータに対して少なくとも１つの訓練された低次元分類器を適用するコンピュータ実行可能な命令であって、前記少なくとも１つの訓練された低次元分類器の各々が、前記特徴セットの個別の入力特徴に関連付けられ、前記少なくとも１つの訓練された低次元分類器の前記適用は、前記受信されるデータにおける前記入力特徴の存在に基づかれる出力をもたらす、命令と、
前記少なくとも１つの訓練された低次元分類器のそれぞれに関する重みを重み付き加算器を使用して割り当て、前記少なくとも１つの低次元分類器の前記出力及び前記割り当てられた重みに基づき、重み付き加算器を使用して加重和を出力するためのコンピュータ実行可能命令とを有する、非一時的なコンピュータ可読媒体。
【請求項１８】
前記分類器出力及び前記割り当てられた重みの加重和を出力するための命令が、関連付けられる特徴が前記受信されるデータにない分類器にゼロの重みを割り当て、関連付けられる特徴が受信データに存在する分類器に非ゼロの重みを割り当てる命令を有する、請求項１７に記載の媒体。
【請求項１９】
前記訓練された低次元分類器の少なくとも１つが、関連付けられる特徴が前記受信データにないとき、ゼロ値を出力するよう構成される、請求項１７に記載の媒体。
【請求項２０】
前記訓練された低次元分類器の少なくとも１つに割り当てられる前記重みが、前記訓練された低次元分類器の少なくとも１つによるゼロ値の出力に基づき調整される、請求項１７に記載の媒体。